(57)【要約】【課題】ガタを吸収する部品を追加しないで、噛み合い時に発生する音（ノイズ）を低減できる二重歯車、好ましくは光ディスク装置用の二重歯車を提供する。【解決手段】上下の歯車１２，１１を重ね合わせて、一方の歯車１１の少なくとも二箇所に形成した係合片１１ｇと、他方の歯車１２に形成した被係合片１２ｅとを係合させ、上下の歯車の歯１２ｆ，１１ｈが周方向にずれるように上下の歯車を付勢した二重歯車ＷＧにおいて、係合片１１ｇと被係合片１２ｅのいずれか一方をバネ片に形成し、係合片１１ｇと被係合片１２ｅを弾性係合させる。上下の歯車１２，１１同士が常に接触するように付勢されてガタつきがなくなるため、上下の歯車１２，１１が離れたり近づいたりすることなく安定して他の歯車と噛み合うようになり、噛み合い時に発生する音（ノイズ）が大幅に低減される。【選択図】図４
2008146779.tif 000002
【特許請求の範囲】
【請求項１】
上下の歯車を重ね合わせて、一方の歯車の少なくとも二箇所に形成した係合片と、他方の歯車の上記係合片に対応する箇所に形成した被係合片とを、上下の歯車が分離しないように上下方向に係合させると共に、上下の歯車の歯が周方向にずれるように上下の歯車を付勢した二重歯車において、
下側の歯車の中心部上面と中心部下面に光ピックアップ移動用の小歯車と他の歯車駆動用の小歯車をそれぞれ形成すると共に、上側の歯車の中心部に円形開口を形成して、光ピックアップ移動用の小歯車を円形開口に挿通し、上記係合片と上記被係合片のいずれか一方をバネ片に形成して、上記係合片と上記被係合片を弾性係合させたことを特徴とする光ディスク装置用の二重歯車。
【請求項２】
上下の歯車を重ね合わせて、一方の歯車の少なくとも二箇所に形成した係合片と、他方の歯車の上記係合片に対応する箇所に形成した被係合片とを、上下の歯車が分離しないように上下方向に係合させると共に、上下の歯車の歯が周方向にずれるように上下の歯車を付勢した二重歯車において、
上記係合片と上記被係合片のいずれか一方をバネ片に形成し、上記係合片と上記被係合片を弾性係合させたことを特徴とする二重歯車。
【請求項３】
上記バネ片に形成された係合片又は被係合片の一方が、他方の被係合片又は係合片に弾接する傾斜先端部を備えていることを特徴とする請求項１又は請求項２に記載の二重歯車。
【請求項４】
上記バネ片に形成された係合片又は被係合片の一方が、他方の被係合片又は係合片に弾接する突起部を備えていることを特徴とする請求項１又は請求項２に記載の二重歯車。
【発明の詳細な説明】
【技術分野】
【０００１】
本発明は、光ディスク装置などに組み込まれる二重歯車に関し、特に、噛み合うときに発生する音を低減できるように改良した二重歯車に関する。
【背景技術】
【０００２】
光ディスク装置においては、駆動モータの駆動力を光ピックアップのラック、カムスライダーのラック、トレイのラックなどに伝達する駆動力伝達歯車機構が搭載されており、この駆動力伝達歯車機構の最初の歯車、即ち、駆動モータの駆動力を光ピックアップのラックギアと駆動力伝達歯車機構の２番目以降の歯車に伝達する歯車として、所謂バックラッシュを除去する二重歯車を組み込むことがある。
【０００３】
二重歯車としては、上下の歯車を重ね合わせ、一方の歯車の少なくとも二箇所に形成した係合片と、他方の歯車の上記係合片に対応する箇所に形成した被係合片とを、上下の歯車が分離しないように上下方向に係合させると共に、上下の歯車の歯が周方向にずれるように上下の歯車をバネで付勢したもの等が知られている。
【０００４】
また、光ディスク装置において、光ピックアップを搭載したスレッド移動機構のラックに共通に噛合される２枚のピニオンを設け、この２枚の重ねピニオンの入力側に、該ピニオンと噛合するバックラッシュ・キャンセル機能付のダブルギアを設けることによって、バックラッシュによるギアのガタを取り除くようにしたものも知られている（特許文献１）。
【特許文献１】特開２００３−３０６３４５号公報
【発明の開示】
【発明が解決しようとする課題】
【０００５】
しかしながら、前述した従来の二重歯車は、一方の歯車に形成した係合片と、他方の歯車に形成した被係合片を、上下方向に係合させて上下の歯車が分離しないようにしているけれども、係合片と被係合片には上下方向にガタがあるため、他の歯車と噛み合うときに上下の歯車が上下方向に離れたり近づいたりする動作を生じ、それによって大きい音（ノイズ）が発生するという問題があった。
【０００６】
このような噛み合い時の音（ノイズ）は、上下の歯車の間に不織布等を貼り付けて上下方向のガタを吸収すると、小さくすることができる。けれども、その場合は、不織布等を貼り付ける分だけ部品点数や組立工数が増え、コスト高になるので、得策とは言えない。
【０００７】
また、特許文献１の光ディスク装置は、ダブルギアによってバックラッシュを除去することはできるが、ダブルギアの上下方向のガタつきを吸収する対策がとられていないため、噛み合い時に発生する音（ノイズ）を小さくすることはできない。
【０００８】
本発明は上記事情の下になされたもので、その解決しようとする課題は、不織布等のガタを吸収する部品を追加することなく、噛み合い時に発生する音（ノイズ）を低減させることができる二重歯車、好ましくは光ディスク装置用の二重歯車を提供することにある。
【課題を解決するための手段】
【０００９】
上記課題を解決するため、本発明に係る二重歯車は、上下の歯車を重ね合わせて、一方の歯車の少なくとも二箇所に形成した係合片と、他方の歯車の上記係合片に対応する箇所に形成した被係合片とを、上下の歯車が分離しないように上下方向に係合させると共に、上下の歯車の歯が周方向にずれるように上下の歯車を付勢した二重歯車において、上記係合片と上記被係合片のいずれか一方をバネ片に形成し、上記係合片と上記被係合片を弾性係合させたことを特徴とするものである。
【００１０】
本発明の二重歯車においては、上記バネ片に形成された係合片又は被係合片の一方が、他方の被係合片又は係合片に弾接する傾斜先端部を備えていること、あるいは、他方の被係合片又は係合片に弾接する突起部を備えていることが好ましい。
【００１１】
そして、本発明の更に具体的な好ましい光ディスク装置用の二重歯車は、上下の歯車を重ね合わせて、一方の歯車の少なくとも二箇所に形成した係合片と、他方の歯車の上記係合片に対応する箇所に形成した被係合片とを、上下の歯車が分離しないように上下方向に係合させると共に、上下の歯車の歯が周方向にずれるように上下の歯車を付勢した二重歯車において、下側の歯車の中心部上面と中心部下面に光ピックアップ移動用の小歯車と他の歯車駆動用の小歯車をそれぞれ形成すると共に、上側の歯車の中心部に円形開口を形成して、光ピックアップ移動用の小歯車を円形開口に挿通し、上記係合片と上記被係合片のいずれか一方をバネ片に形成して、上記係合片と上記被係合片を弾性係合させたことを特徴とするものである。
【発明の効果】
【００１２】
本発明の二重歯車のように、一方の歯車に形成した係合片又は他方の歯車に形成した被係合片のいずれか一方をバネ片に形成して、係合片と被係合片を上下方向に弾性係合させると、上下の歯車同士が常に接触するように付勢されて上下方向のガタつきがなくなるため、上下の歯車は従来のように上下方向に離れたり近づいたりする動作を行うことなく、安定して他の歯車と噛み合うようになり、噛み合い時に発生する音（ノイズ）が大幅に低減される。従って、上下方向のガタを吸収するための不織布等を上下の歯車の間に貼り付けることが不要となるので部品点数や組立工数が増加せず、製造コストの増大を抑えることができる。
【００１３】
特に、バネ片に形成された係合片又は被係合片の一方が、他方の被係合片又は係合片に弾接する傾斜先端部や突起部を備えていると、この傾斜先端部や突起部によって他方の被係合片又は係合片を集中的に押圧して弾性係合させることができるようになり、また、上下の歯車の相対的な回動によってバックラッシュを除去するときの摩擦抵抗の増大も殆どないので、バックラッシュ除去機能に悪影響を及ぼす心配も皆無に等しい。
【００１４】
そして、本発明の更に具体的な好ましい光ディスク装置用の二重歯車は、光ディスク装置の駆動力伝達歯車機構の最初の歯車として組み込まれ、この二重歯車の上下の歯車が駆動モータの出力歯車に、光ピックアップ移動用の小歯車が光ピックアップのラックギアに、他の歯車駆動用の小歯車が駆動力伝達歯車機構の２番目の歯車にそれぞれ噛み合って、駆動モータの駆動力が光ピックアップと２番目以降の歯車に伝達される。このとき、二重歯車によって、駆動モータの出力歯車とのバックラッシュが除去され、また、上述したように噛み合い時に発生する音（ノイズ）も大幅に低減される。
【発明を実施するための最良の形態】
【００１５】
以下、図面を参照して本発明の具体的な実施形態を詳述する。
【００１６】
図１は本発明の二重歯車を組み込んだ光ディスク装置の一例を示す平面図、図２はトレイを透視して示す同光ディスク装置の透視平面図、図３は本発明の一実施形態に係る二重歯車の斜視図、図４は同二重歯車の分解斜視図、図５は図３のＡ−Ａ線に沿った拡大部分断面図、図６は本発明の他の実施形態に係る二重歯車の拡大部分断面図である。
【００１７】
図１，図２に例示する光ディスク装置は、メインシャーシ１、トラバースシャーシ２、トレイ３、ターンテーブル４、光ピックアップ５、クランパー６、カムスライダー７、駆動力伝達歯車機構８、スピンドルモータＭ１、駆動モータＭ２などの主要部品で構成され、駆動力伝達歯車機構８の最初の歯車として、本発明の二重歯車ＷＧが組み込まれたものである。
【００１８】
この光ディスク装置について簡単に説明すると、メインシャーシ１の内側にはトラバースシャーシ２が配置され、その後端部で上下揺動可能に取付けられている。このトラバースシャーシ２には、ターンテーブル４と光ピックアップ５が搭載されており、ターンテーブル４はスピンドルモータＭ１で回転されるようになっている。そして、光ピックアップ５は主軸９ａと副軸９ｂに沿って、ターンテーブル４に対して接近・離反自在に搭載されている。メインシャーシ１の前縁部には、カムスライダー７が左右スライド自在に取付けられており、このカムスライダー７のカム溝には、トラバースシャーシ２の前端から突き出すボス部２ａが挿入されて係合している。メインシャーシ１のブリッジ部１ａには、クランパー保持部１ｂがターンテーブル４の真上に位置して形成されており、このクランパー保持部１ｂにクランパー６が回転自在に保持されている。また、メインシャーシ１の内側には、ディスクを載せるトレイ３がターンテーブル４とブリッジ部１ａの間を通って出し入れ自在に取付けられている。そして、駆動モータＭ２からの駆動力を光ピックアップ５、カムスライダー７、トレイ３にそれぞれ伝達する駆動力伝達歯車機構８が設けられている。
【００１９】
この駆動力伝達歯車機構８は、本発明の二重歯車ＷＧを用いた第１歯車、第２歯車８ｂ、第３歯車８ｃ、第４歯車８ｄを連ねたもので、第一の二重歯車ＷＧは駆動モータＭ２の出力歯車１０と噛み合い、この二重歯車ＷＧの光ピックアップ移動用の小歯車１１ａが光ピックアップ５のラックギア５ａと噛み合うようになっている。そして、第４歯車８ｄはカムスライダー７のラックギア７ａと、トレイ３裏面のラックギア３ａにそれぞれ噛み合うようになっている。尚、この第４歯車８ｄには、歯のない部分が形成されており、トラバースシャーシ２が上昇して光ディスクがターンテーブル４とクランパー６でチャックされた状態では、第３歯車８ｃが第４歯車８ｄの歯のない部分に位置して噛み合わないようになっている。
【００２０】
この光ディスク装置の動作について簡単に説明すると、光ディスクがターンテーブル４とクランパー６でチャックされて回転しているときには、光ピックアップ５が二重歯車ＷＧの小歯車１１ａによりターンテーブル４に向かって移動しながら、対物レンズ５ｂよりレーザービームが光ディスクに照射されて記録・再生が行われる。このときは、駆動力伝達歯車機構８の第３歯車８ｃと第４歯車８ｄは噛み合っていない。そして、記録・再生が終わって光ディスクを取り出すときは、光ピックアップ５が二重歯車ＷＧの小歯車１１ａでターンテーブル４に向かって所定の位置まで移動し、小歯車１１ａと光ピックアップ５のラックギア５ａとの噛み合いが外れると共に、カムスライダー７が左方向に少し移動して第４歯車８ｄが少し回転し、第３歯車８ｃと第４歯車８ｄが噛み合って駆動力が第４歯車８ｄに伝達される。そのため、カムスライダー７は更に左方向に移動し、この移動でトラバースシャーシ２が下降して光ディスクのチャックが解除され、光ディスクがトレイ３に載置されると共に、トレイ３が少し前方へ移動して、第４歯車８ｄがトレイ３のラックギア３ａと噛み合い、トレイ３が前方に向かって所定位置まで移動して、光ディスクが取り出される。そして、光ディスクをトレイ３に載せて挿入する場合は、トレイ３、カムスライダー７、トラバースシャーシ２、光ピックアップ５が上記と逆動作し、ターンテーブル４とクランパー６で光ディスクがチャックされる。
【００２１】
上記の光ディスク装置において、駆動力伝達歯車機構８の第１歯車として組み込まれる本発明の二重歯車ＷＧは、バックラッシュ除去機能を備えた二重歯車であって、図３，図４に示すように、合成樹脂製の下側の歯車１１（主歯車）と、同じ合成樹脂製の上側の歯車１２（副歯車）と、コイルスプリング１３とから成るものである。
【００２２】
下側の主歯車１１は、その中心部上面に、光ピックアップ５のラックギア５ａと噛み合う光ピックアップ移動用の小歯車１１ａを一体に形成すると共に、中心部下面に、駆動力伝達歯車機構８の第２歯８ｂと噛み合う歯車駆動用の小歯車１１ｂを一体に形成したものであって、この主歯車１１の外周縁には、上側の副歯車１２との摩擦抵抗を減少させるための環状凸部１１ｃが形成されている。
【００２３】
この主歯車１１の環状凸部１１ｃの内側には、コイルスプリング１３の下半分を収容するスプリング収容開口部１１ｄと、円弧状に湾曲した２つの円弧状開口部１１ｅ，１１ｅが形成されており、スプリング収容開口部１１ｄの一端には、コイルスプリング１３の一端を支持するボス部１１ｆが内側に向かって突設されている。そして、それぞれの円弧状開口部１１ｅの一端から、円弧状開口部１１ｅの幅よりも少し狭幅の円弧状に湾曲する係合片１１ｇが円弧状開口部１１ｅの片側上面を覆うように突設されている。尚、この係合片１１ｇについては、後で詳しく説明する。
【００２４】
一方、上側の副歯車１２の中心部には、主歯車１１の光ピックアップ移動用の小歯車１１ａを挿通する円形開口１２ａが形成されている。そして、この副歯車１２の上記スプリング収容開口部１１ｄに対応する箇所には、コイルスプリング１３の上半分を収容するスプリング収容開口部１２ｂが形成されており、このスプリング収容開口部１２ｂの他端には、コイルスプリング１３の他端を支持するボス部１２ｃが内側に向かって突設されている。
【００２５】
また、この副歯車１２には、前記の円弧状開口部１１ｅと同様の幅及び長さを有する２つの円弧状開口部１２ｄ，１２ｄが形成されており、それぞれの円弧状開口部１２ｄの他端から、円弧状開口部１２ｄの幅よりも少し狭幅の円弧状に湾曲する被係合片１２ｅが円弧状開口部１２ｄの片側下面を覆うように突設されている。この被係合片１２ｅは、副歯車１２の前記係合片１１ｇに対応する箇所に形成されており、後述するように主歯車１１と副歯車１２を重ねて二重歯車ＷＧを組み立てるとき、前記係合片１１ｇと被係合片１２ｅが弾性係合するようになっている。
【００２６】
この二重歯車ＷＧは、次の要領で組み立てられる。即ち、下側の主歯車１１の光ピックアップ移動用の小歯車１１ａを上側の副歯車１２の円形開口１２ａに下方から挿通すると共に、主歯車１１の２つの係合片１１ｇ，１１ｇを副歯車１２の２つの円弧状開口部１２ｄ，１２ｄに下方から挿入して、主歯車１１と副歯車１２を重ね合わせ、主歯車１１と副歯車１２を相対的に回動させて、主歯車１１と副歯車１２が分離しないように係合片１１ｇ，１１ｇと被係合片１２ｅ，１２ｅを上下に係合させる。そして、コイルスプリング１３を圧縮状態でスプリング収容開口部１２ｂ，１１ｄに収容し、コイルスプリング１３の両端をボス部１２ｃ，１１ｆで脱落しないように支持することによって、下側の主歯車１１と上側の副歯車１２を互いに逆回り方向に付勢（この実施形態では係合片１１ｇと被係合片１２ｅの係合が外れないように、主歯車１１を時計回り方向、副歯車１２を反時計回り方向に付勢）し、主歯車１１の歯１１ｈと副歯車１２の歯１２ｆが周方向にずれるように組み立てられる。
【００２７】
主歯車１１の係合片１１ｇは、これを上記のように被係合片１２ｅの上に重ねて係合させたとき、図５に示すように、係合片１１ｇの傾斜先端部１１ｉが被係合片１２ｅを下方に押圧して、下側の主歯車１１と上側の副歯車１２を常に接触させるように付勢するバネ片に形成されている。即ち、この係合片１１ｇは、被係合片１２ｅに係合させる前は、図５に仮想線で示すように、傾斜先端部１１ｉの下端が被係合片１２ｅの上面よりも低い位置となるように形成されており、図５に示すように被係合片１２ｅの上に重ねて弾性係合させると、被係合片１２ｅが係合片１１ｇの傾斜先端部１１ｉで押圧されて上側の副歯車１２が下側の主歯車１１に引き付けられる方向に常時付勢されるようになっている。
【００２８】
従って、この二重歯車ＷＧは、下側の主歯車１１と上側の副歯車１２との間にガタつきがないため、主歯車１１と副歯車１２が上下方向に離れたり近づいたりすることなく、その歯１１ｈ，１２ｆが駆動モータＭ２の出力歯車１０と安定して噛み合い、光ピックアップ移動用の小歯車１１ａや他の歯車駆動用の小歯車１１ｂも、光ピックアップ５のラックギア５ａや駆動力伝達歯車機構８の第２歯車８ｂと安定して噛み合うので、噛み合い時に発生する音（ノイズ）が大幅に低減される。このように、図３，図４に示す二重歯車ＷＧは、ガタつきを吸収する不織布等を主歯車１１と副歯車１２の間に貼り付けることが不要になるため、部品点数や組立工数が増加せず、製造コストの増大を抑えることができる。
【００２９】
また、この二重歯車ＷＧの係合片１１ｇは、被係合片１２ｅに弾接する傾斜先端部１１ｉを備えているため、この傾斜先端部１１ｉの下端が被係合片１２ｅに線接触して集中的に被係合片１２ｅを押圧することができ、しかも、上下の歯車１２，１１の相対的な回動によってバックラッシュを除去するときの摩擦抵抗の増大が殆どないので、バックラッシュ除去機能に悪影響を及ぼす心配は皆無に等しくなる。加えて、この係合片１１ｇの傾斜先端部１１ｉの下向き先端斜面１１ｊは、上下の歯車１２，１１を相対的に回動させて係合片１１ｇを被係合片１２ｅに係合させるときのガイド斜面となるので、係合作業を容易に行える利点がある。
【００３０】
バネ片に形成する係合片１１ｇの形状は、上記のような傾斜先端部１１ｉを有するものに限定されず、例えば、第６図に示すような形状とすることもできる。即ち、この係合片１１ｇは、被係合片１２ｅに弾接する略半球状の突起部１１ｋを先端部下面に備えたもので、この係合片１１ｇを被係合片１２ｅに係合させる前は、図６に仮想線で示すように、突起部１１ｋが被係合片１２ｅの上面より下側に位置するように形成されており、図６のように係合片１１ｇを被係合片１２ｅの上に係合させると、突起部１１ｋが点接触して集中的に被係合片１２ｅを押圧し、上側の副歯車１２を下側の主歯車１１に引き付けるように付勢するものである。
【００３１】
このような突起部１１ｋを形成した係合片１１ｇも、突起部１１ｋが被係合片１２ｅに点接触するので、上下の歯車１２，１１の相対的な回動によってバックラッシュを除去するときの摩擦抵抗の増大が殆どなく、しかも、上下の歯車１２，１１を相対的に回動させて係合片１１ｇを被係合片１２ｅに係合させるときに突起部１１ｋが被係合片１２ｅの上面に容易に乗り上げるので、係合作業を容易に行える利点がある。
【００３２】
上記実施形態の二重歯車ＷＧは、下側の主歯車１１の係合片１１ｇをバネ片に形成して、上側の副歯車１２の被係合片１２ｅと上下に弾性係合させているが、これとは逆に、上側の副歯車１２の被係合片１２ｅをバネ片に形成して、下側の主歯車１１の係合片１１ｇと弾性係合させるようにしても勿論よい。また、上下の歯車１２，１１に円弧状開口部１２ｄ，１１ｅをそれぞれ３つずつ、もしくはそれ以上形成し、各円弧状開口部１２ｄの一端に被係合片１２ｅを形成すると共に、各円弧状開口部１１ｅの他端に係合片１１ｇを形成してもよい。
【００３３】
以上、光ディスク装置の駆動力伝達歯車機構に組み込まれる二重歯車を例にとって本発明の二重歯車を説明したが、本発明の二重歯車は、光ディスク装置以外の種々の装置等に組み込まれて、噛み合い時の音（ノイズ）を低減できるものでる。
【図面の簡単な説明】
【００３４】
【図１】本発明の二重歯車を組み込んだ光ディスク装置の一例を示す平面図である。
【図２】トレイを透視して示す同光ディスク装置の透視平面図である。
【図３】本発明の一実施形態に係る二重歯車の斜視図である。
【図４】同二重歯車の分解斜視図である。
【図５】図３のＡ−Ａ線に沿った拡大部分断面図である。
【図６】本発明の他の実施形態に係る二重歯車の拡大部分断面図である。
【符号の説明】
【００３５】
ＷＧ  二重歯車
１１  下側の歯車（主歯車）
１１ａ  光ピックアップ移動用の小歯車
１１ｂ  他の歯車駆動用の小歯車
１１ｅ  円弧状開口部
１１ｇ  係合片
１１ｈ  歯
１１ｉ  係合片の傾斜先端部
１１ｋ  係合片の突起部
１２  上側の歯車（副歯車）
１２ａ  円形開口
１２ｄ  円弧状開口部
１２ｅ  被係合片
１２ｆ  歯
【図１】
2008146779.tif 000003
【図２】
2008146779.tif 000004
【図３】
2008146779.tif 000005
【図４】
2008146779.tif 000006
【図５】
2008146779.tif 000007
【図６】
2008146779.tif 000008